(57)【要約】【課題】型枠板をＨ形鋼に手間を要せず短時間に効率よく固定することができ、型枠板をＨ形鋼に強固に固定することができる型枠板固定器具を提供する。【解決手段】型枠板固定器具１０では、螺着ロッド１３が時計回り方向に回転すると、第１および第２旋回固定アーム１１，１２の力点部１５，２２が横方向外方へ移動し、それによって第１および第２旋回固定アーム１１，１２が支点部１６，２３を中心に旋回しつつ第１および第２旋回固定アーム１１，１２の作用固定部１７，２４が横方向内方へ移動し、螺着ロッド１３が反時計回り方向に回転すると、第１および第２旋回固定アーム１１，１２の力点部１５，２２が横方向内方へ移動し、それによって第１および第２旋回固定アーム１１，１２が支点部１６，２３を中心に旋回しつつ第１および第２旋回固定アーム１１，１２の作用固定部１７，２４が横方向外方へ移動する。【選択図】図１
2018025084.tif 000002
【特許請求の範囲】
【請求項１】
コンクリート構造物の施行に使用される型枠板を鋼材に着脱可能に固定する型枠板固定器具において、
前記型枠板固定器具が、横方向へ離間対向して縦方向へ延びていて力点部と該力点部につながる支点部と該支点部につながる作用固定部とを有する第１および第２旋回固定アームと、前記第１および第２旋回固定アームの力点部に位置して横方向へ延びる螺着部材と、前記第１および第２旋回固定アームの支点部に位置して横方向へ延びる支持部材とから形成され、前記第１旋回固定アームの支点部が、前記支持部材の横方向一端部に第１回転軸を介して回転可能に連結され、前記第２旋回固定アームの支点部が、前記支持部材の横方向他端部に第２回転軸を介して回転可能に連結され、
前記型枠板固定器具では、前記螺着部材が時計回り方向と反時計回り方向とのいずれか一方に回転すると、前記第１および第２旋回固定アームの力点部が横方向外方へ移動し、それによって前記第１および第２旋回固定アームが支点部を中心に旋回しつつ該第１および第２旋回固定アームの作用固定部が横方向内方へ移動し、前記螺着部材が時計回り方向と反時計回り方向とのいずれか他方に回転すると、前記第１および第２旋回固定アームの力点部が横方向内方へ移動し、それによって前記第１および第２旋回固定アームが支点部を中心に旋回しつつ該第１および第２旋回固定アームの作用固定部が横方向外方へ移動することを特徴とする型枠板固定器具。
【請求項２】
前記螺着部材が、前記第１旋回固定アームの側に位置する横方向一端部と、前記第２旋回固定アームの側に位置する横方向他端部とを有し、前記螺着部材の横方向一端部と横方向他端部とのいずれか一方を螺着する螺子部材が、前記第１旋回固定アームと前記第２旋回固定アームとのいずれか一方の力点部に設置され、前記型枠板固定器具では、前記螺着部材が時計回り方向と反時計回り方向とのいずれかに回転すると、該螺着部材が前記螺子部材から横方向内方と横方向外方とのいずれかに移動しつつ前記第１および第２旋回固定アームの力点部が横方向内方と横方向外方とのいずれかに移動する請求項１に記載の型枠板固定器具。
【請求項３】
前記第１旋回固定アームと前記第２旋回固定アームとのいずれか一方の旋回を停止させるストッパーが、前記螺着部材の横方向一端部と横方向他端部とのいずれか一方に設置され、前記型枠板固定器具では、前記ストッパーが前記第１旋回固定アームと前記第２旋回固定アームとのいずれかに当接した時点でそれらアームの旋回が停止し、該ストッパーによってそれらアームの旋回が停止した時点で、それらアームの作用固定部が支点部の横方向外方に位置する請求項２に記載の型枠板固定器具。
【請求項４】
前記螺着部材が、前記第１旋回固定アームの側に位置して正螺子が形成された横方向一端部と、前記第２旋回固定アームの側に位置して逆螺子が形成されて横方向他端部とを有し、前記螺着部材の横方向一端部の正螺子を螺着する第１螺子部材が、前記第１旋回固定アームの力点部に設置され、前記螺着部材の横方向他端部の逆螺子を螺着する第２螺子部材が、前記第２旋回固定アームの力点部に設置され、前記型枠板固定器具では、前記螺着部材が時計回り方向と反時計回り方向とのいずれかに回転すると、該螺着部材が前記第１および第２螺子部材から横方向内方と横方向外方とのいずれかに移動しつつ前記第１および第２旋回固定アームの力点部が横方向内方と横方向外方とのいずれかに移動する請求項１に記載の型枠板固定器具。
【請求項５】
前記第１および第２旋回固定アームが、前記縦方向へ並ぶ複数の支点部を有し、前記型枠板固定器具では、それら支点部から所定のそれを選択することで、前記支点部から前記作用固定部までの寸法の長短を変更可能である請求項１ないし請求項４いずれかに記載の型枠板固定器具。
【請求項６】
前記型枠板固定器具では、前記第１旋回固定アームの作用固定部を前記鋼材の一方のフランジの外面側に位置させて前記型枠板を該第１旋回固定アームの作用固定部と該鋼材の一方のフランジの外面との間に配置するとともに、前記第２旋回固定アームの作用固定部を前記鋼材の他方のフランジの外面側に位置させて前記型枠板を該第２旋回固定アームの作用固定部と該鋼材の他方のフランジの外面との間に配置した後、前記螺着部材を時計回り方向と反時計回り方向とのいずれか一方に回転させて前記第１および第２旋回固定アームの力点部を横方向外方へ移動させることで、前記第１旋回固定アームの作用固定部が前記型枠板に密着しつつ該型枠板が該第１旋回固定アームの作用固定部と前記鋼材の一方のフランジの外面とに挟まれた状態で固定され、前記第２旋回固定アームの作用固定部が前記型枠板に密着しつつ該型枠板が該第２旋回固定アームの作用固定部と前記鋼材の他方のフランジの外面とに挟まれた状態で固定される請求項１ないし請求項５いずれかに記載の型枠板固定器具。
【請求項７】
前記鋼材が、Ｈ形鋼であり、前記型枠板固定器具では、前記第１旋回固定アームの作用固定部を前記Ｈ形鋼の一方のフランジの外面側に位置させて前記型枠板を該第１旋回固定アームの作用固定部と該Ｈ形鋼の一方のフランジの外面との間に配置するとともに、前記第２旋回固定アームの作用固定部を前記Ｈ形鋼の他方のフランジの外面側に位置させて前記型枠板を該第２旋回固定アームの作用固定部と該Ｈ形鋼の他方のフランジの外面との間に配置した後、前記螺着部材を時計回り方向と反時計回り方向とのいずれか一方に回転させて前記第１および第２旋回固定アームの力点部どうしを横方向外方へ移動させることで、前記第１旋回固定アームの作用固定部が前記型枠板に密着しつつ該型枠板が該第１旋回固定アームの作用固定部と前記Ｈ形鋼の一方のフランジの外面とに挟まれた状態で固定され、前記第２旋回固定アームの作用固定部が前記型枠板に密着しつつ該型枠板が該第２旋回固定アームの作用固定部と前記Ｈ形鋼の他方のフランジの外面とに挟まれた状態で固定される請求項６に記載の型枠板固定器具。
【請求項８】
前記支持部材が、その中央に形成されて前記Ｈ形鋼のそれらフランジが収まる凹部を有し、前記Ｈ形鋼のそれらフランジが、横方向へ離間対向して縦方向へ延びる前記凹部の内側縁に当接する請求項７に記載の型枠板固定器具。
【発明の詳細な説明】
【技術分野】
【０００１】
本発明は、コンクリート構造物の施行に使用される型枠板を形鋼に着脱可能に固定する型枠板固定器具に関する。
【背景技術】
【０００２】
既設の建物（コンクリート構造物）の柱や梁の前に耐震補強に使用するＨ形鋼を所定寸法離間させて配置し、Ｈ形鋼のフランジに型枠を着脱可能に固定した後、Ｈ形鋼とコンクリート構造物と型枠との間の空間にモルタルやコンクリート等のセメント硬化物を充填し、Ｈ形鋼とコンクリート構造物とを一体化する耐震補強方法がある。
【０００３】
耐震補強方法において使用する耐震補強用型枠支持金具が特許文献１に開示されている。特許文献１に開示の耐震補強用型枠支持金具は、主固定ボルトおよび副固定ボルトと、主固定ボルトおよび副固定ボルトによって耐震補強用のＨ形鋼の下フランジをその上面側から押えるフランジ押え部材と、Ｈ形鋼の下フランジの下面に接触した状態で設置される堰板をバタ材を介して支持する型枠支持材と、フランジ押え部材および型枠支持材の基部側をそれぞれ連結する連結部材と、型枠支持材に高さ調整可能に取り付けられ、高さを調整してＨ形鋼の下フランジの下面に当接することによってＨ形鋼をその下フランジの下面側から支持する高さ調整ボルトとから形成されている。この耐震補強用型枠支持金具は、連結部材を介したフランジ押え部材と型枠支持材との間に、Ｈ形鋼の下フランジと堰板とバタ材とが配設される。
【先行技術文献】
【特許文献】
【０００４】
【特許文献１】特開２０１２−１２２２２７号公報
【発明の概要】
【発明が解決しようとする課題】
【０００５】
前記特許文献１に開示の耐震補強用型枠支持金具を利用してＨ形鋼に堰板を固定するには、型枠支持材に設置された高さ調整ボルトを回転させ、堰板とバタ材との厚みを確保しつつ、高さ調整ボルトの上面がＨ形鋼の下フランジの下面に当接するように高さを調節する。次に、主固定ボルトおよび副固定ボルトを回転させ、それらボルトによってＨ形鋼の下フランジをその上面側から締め付け、バタ材の介在下に型枠支持材によって堰板をＨ形鋼の下フランジに固定する。この耐震補強用型枠支持金具は、高さ調整ボルトを回転させて高さを調節する手順と、型枠支持材と堰板との間にバタ材の介在させる手順と、主固定ボルトや副固定ボルトを回転させて型枠支持材によって堰板をＨ形鋼の下フランジに固定する手順とが必要となり、Ｈ形鋼に対する堰板の固定に手間と時間とを要し、堰板をＨ形鋼に手間を要せず短時間に効率よく固定することができない。また、主固定ボルトよりも副固定ボルトを多く回転させると、型枠支持材がＨ形鋼の下フランジに対して傾斜するから、型枠支持材によって堰板をＨ形鋼の下フランジに強固に固定するには主固定ボルトおよび副固定ボルトによるＨ形鋼の下フランジの締め付け具合を最適に調整する必要がある。
【０００６】
本発明の目的は、型枠板を形鋼に手間を要せず短時間に効率よく固定することができ、型枠板を形鋼に強固に固定することができる型枠板固定器具を提供することにある。本発明の他の目的は、ボルトの締め付け具合を調整することなく型枠板を形鋼に容易に固定することができる型枠板固定器具を提供することにある。
【課題を解決するための手段】
【０００７】
前記課題を解決するための本発明の前提は、コンクリート構造物の施行に使用される型枠板を鋼材に着脱可能に固定する型枠板固定器具である。
【０００８】
前記前提における本発明の特徴は、型枠板固定器具が、横方向へ離間対向して縦方向へ延びていて力点部と力点部につながる支点部と支点部につながる作用固定部とを有する第１および第２旋回固定アームと、第１および第２旋回固定アームの力点部に位置して横方向へ延びる螺着部材と、第１および第２旋回固定アームの支点部に位置して横方向へ延びる支持部材とから形成され、第１旋回固定アームの支点部が支持部材の横方向一端部に第１回転軸を介して回転可能に連結され、第２旋回固定アームの支点部が支持部材の横方向他端部に第２回転軸を介して回転可能に連結され、型枠板固定器具では、螺着部材が時計回り方向と反時計回り方向とのいずれか一方に回転すると、第１および第２旋回固定アームの力点部が横方向外方へ移動し、それによって第１および第２旋回固定アームが支点部を中心に旋回しつつ第１および第２旋回固定アームの作用固定部が横方向内方へ移動し、螺着部材が時計回り方向と反時計回り方向とのいずれか他方に回転すると、第１および第２旋回固定アームの力点部が横方向内方へ移動し、それによって第１および第２旋回固定アームが支点部を中心に旋回しつつ第１および第２旋回固定アームの作用固定部が横方向外方へ移動することにある。
【０００９】
本発明の一例としては、螺着部材が第１旋回固定アームの側に位置する横方向一端部と第２旋回固定アームの側に位置する横方向他端部とを有し、螺着部材の横方向一端部と横方向他端部とのいずれか一方を螺着する螺子部材が第１旋回固定アームと第２旋回固定アームとのいずれか一方の力点部に設置され、型枠板固定器具では、螺着部材が時計回り方向と反時計回り方向とのいずれかに回転すると、螺着部材が螺子部材から横方向内方と横方向外方とのいずれかに移動しつつ第１および第２旋回固定アームの力点部が横方向内方と横方向外方とのいずれかに移動する。
【００１０】
本発明の他の一例としては、第１旋回固定アームと第２旋回固定アームとのいずれか一方の旋回を停止させるストッパーが螺着部材の横方向一端部と横方向他端部とのいずれか一方に設置され、型枠板固定器具では、ストッパーが第１旋回固定アームと第２旋回固定アームとのいずれかに当接した時点でそれらアームの旋回が停止し、ストッパーによってそれらアームの旋回が停止した時点で、それらアームの作用固定部が支点部の横方向外方に位置する。
【００１１】
本発明の他の一例としては、螺着部材が第１旋回固定アームの側に位置して正螺子が形成された横方向一端部と第２旋回固定アームの側に位置して逆螺子が形成されて横方向他端部とを有し、螺着部材の横方向一端部の正螺子を螺着する第１螺子部材が第１旋回固定アームの力点部に設置され、螺着部材の横方向他端部の逆螺子を螺着する第２螺子部材が第２旋回固定アームの力点部に設置され、型枠板固定器具では、螺着部材が時計回り方向と反時計回り方向とのいずれかに回転すると、螺着部材が第１および第２螺子部材から横方向内方と横方向外方とのいずれかに移動しつつ第１および第２旋回固定アームの力点部が横方向内方と横方向外方とのいずれかに移動する。
【００１２】
本発明の他の一例としては、第１および第２旋回固定アームが縦方向へ並ぶ複数の支点部を有し、型枠板固定器具では、それら支点部から所定のそれを選択することで、作用固定部に作用する力を調節可能であり、支点部から作用固定部までの寸法を変更可能である。
【００１３】
本発明の他の一例として、型枠板固定器具では、第１旋回固定アームの作用固定部を鋼材の一方のフランジの外面側に位置させて型枠板を第１旋回固定アームの作用固定部と鋼材の一方のフランジの外面との間に配置するとともに、第２旋回固定アームの作用固定部を鋼材の他方のフランジの外面側に位置させて型枠板を第２旋回固定アームの作用固定部と鋼材の他方のフランジの外面との間に配置した後、螺着部材を時計回り方向と反時計回り方向とのいずれか一方に回転させて第１および第２旋回固定アームの力点部を横方向外方へ移動させることで、第１旋回固定アームの作用固定部が型枠板に密着しつつ型枠板が第１旋回固定アームの作用固定部と鋼材の一方のフランジの外面とに挟まれた状態で固定され、第２旋回固定アームの作用固定部が型枠板に密着しつつ型枠板が第２旋回固定アームの作用固定部と鋼材の他方のフランジの外面とに挟まれた状態で固定される。
【００１４】
本発明の他の一例としては、鋼材がＨ形鋼であり、型枠板固定器具では、第１旋回固定アームの作用固定部をＨ形鋼の一方のフランジの外面側に位置させて型枠板を第１旋回固定アームの作用固定部とＨ形鋼の一方のフランジの外面との間に配置するとともに、第２旋回固定アームの作用固定部をＨ形鋼の他方のフランジの外面側に位置させて型枠板を第２旋回固定アームの作用固定部とＨ形鋼の他方のフランジの外面との間に配置した後、螺着部材を時計回り方向と反時計回り方向とのいずれか一方に回転させて第１および第２旋回固定アームの力点部どうしを横方向外方へ移動させることで、第１旋回固定アームの作用固定部が型枠板に密着しつつ型枠板が第１旋回固定アームの作用固定部とＨ形鋼の一方のフランジの外面とに挟まれた状態で固定され、第２旋回固定アームの作用固定部が型枠板に密着しつつ型枠板が第２旋回固定アームの作用固定部とＨ形鋼の他方のフランジの外面とに挟まれた状態で固定される。
【００１５】
本発明の他の一例としては、支持部材がその中央に形成されてＨ形鋼のそれらフランジが収まる凹部を有し、Ｈ形鋼のそれらフランジが横方向へ離間対向して縦方向へ延びる凹部の内側縁に当接する。
【発明の効果】
【００１６】
本発明に係る型枠板固定器具によれば、螺着部材が時計回り方向と反時計回り方向とのいずれか一方に回転すると、第１および第２旋回固定アームの力点部が横方向外方へ移動し、それによって第１および第２旋回固定アームが支点部を中心に旋回しつつ第１および第２旋回固定アームの作用固定部が横方向内方へ移動するから、螺着部材を時計回り方向と反時計回り方向とのいずれか一方に回転させるだけで、型枠板を第１旋回固定アームの作用固定部と鋼材の一方のフランジの外面との間に固定することができるとともに、型枠板を第２旋回固定アームの作用固定部と鋼材の他方のフランジの外面との間に固定することができ、型枠板を鋼材に手間を要せず短時間に効率よく固定することができる。型枠板固定器具は、第１および第２旋回固定アームの作用固定部によって型枠板を鋼材のフランジに強固に固定することができ、ボルトの締め付け具合を調整することなく型枠板を鋼材に容易に固定することができる。型枠板固定器具は、螺着部材が時計回り方向と反時計回り方向とのいずれか他方に回転すると、第１および第２旋回固定アームの力点部が横方向内方へ移動し、それによって第１および第２旋回固定アームが支点部を中心に旋回しつつ第１および第２旋回固定アームの作用固定部が横方向外方へ移動するから、螺着部材を時計回り方向と反時計回り方向とのいずれか他方に回転させるだけで、鋼材のフランジに対する型枠板の固定を容易に解除することができ、フランジから型枠板を容易に取り外すことができる。
【００１７】
螺着部材が第１旋回固定アームの側に位置する横方向一端部と第２旋回固定アームの側に位置する横方向他端部とを有し、螺着部材の横方向一端部と横方向他端部とのいずれか一方を螺着する螺子部材が第１旋回固定アームと第２旋回固定アームとのいずれか一方の力点部に設置され、螺着部材が時計回り方向と反時計回り方向とのいずれかに回転すると、螺着部材が螺子部材から横方向内方と横方向外方とのいずれかに移動しつつ第１および第２旋回固定アームの力点部が横方向内方と横方向外方とのいずれかに移動する型枠板固定器具は、螺着部材を時計回り方向と反時計回り方向とのいずれかに回転させると、螺着部材が螺子部材から横方向内方と横方向外方とのいずれかに移動しつつ第１および第２旋回固定アームの力点部が横方向内方と横方向外方とのいずれかに移動し、それによって第１および第２旋回固定アームが支点部を中心に旋回しつつ第１および第２旋回固定アームの作用固定部が横方向内方と横方向外方とのいずれかへ移動するから、型枠板を第１旋回固定アームの作用固定部と鋼材の一方のフランジの外面との間に手間を要せず短時間に効率よく固定することができ、型枠板を第２旋回固定アームの作用固定部と鋼材の他方のフランジの外面との間に手間を要せず短時間に効率よく固定することができるとともに、鋼材のフランジに対する型枠板の固定を容易に解除することができ、フランジから型枠板を手間を要せず短時間に効率よく取り外すことができる。
【００１８】
第１旋回固定アームと第２旋回固定アームとのいずれか一方の旋回を停止させるストッパーが螺着部材の横方向一端部と横方向他端部とのいずれか一方に設置され、ストッパーが第１旋回固定アームと第２旋回固定アームとのいずれかに当接した時点でそれらアームの旋回が停止し、ストッパーによってそれらアームの旋回が停止した時点で、それらアームの作用固定部が支点部の横方向外方に位置する型枠板固定器具は、それを鋼材に設置するときに、第１旋回固定アームの作用固定部を鋼材の一方のフランジの外面に容易に位置させることができ、第２旋回固定アームの作用固定部を鋼材の他方のフランジの外面に容易に位置させることができ、それらアームを鋼材に手間を要せず短時間に効率よく設置することができる。
【００１９】
螺着部材が第１旋回固定アームの側に位置して正螺子が形成された横方向一端部と第２旋回固定アームの側に位置して逆螺子が形成されて横方向他端部とを有し、螺着部材の横方向一端部の正螺子を螺着する第１螺子部材が第１旋回固定アームの力点部に設置され、螺着部材の横方向他端部の逆螺子を螺着する第２螺子部材が第２旋回固定アームの力点部に設置され、螺着部材が時計回り方向と反時計回り方向とのいずれかに回転すると、螺着部材が第１および第２螺子部材から横方向内方と横方向外方とのいずれかに移動しつつ第１および第２旋回固定アームの力点部が横方向内方と横方向外方とのいずれかに移動する型枠板固定器具は、螺着部材を時計回り方向と反時計回り方向とのいずれかに回転させると、螺着部材が第１および第２螺子部材から横方向内方と横方向外方とのいずれかに移動しつつ第１および第２旋回固定アームの力点部が横方向内方と横方向外方とのいずれかに移動し、それによって第１および第２旋回固定アームが支点部を中心に旋回しつつ第１および第２旋回固定アームの作用固定部が横方向内方と横方向外方とのいずれかへ移動するから、型枠板を第１旋回固定アームの作用固定部と鋼材の一方のフランジの外面との間に手間を要せず短時間に効率よく固定することができ、型枠板を第２旋回固定アームの作用固定部と鋼材の他方のフランジの外面との間に手間を要せず短時間に効率よく固定することができるとともに、鋼材のフランジに対する型枠板の固定を容易に解除することができ、フランジから型枠板を手間を要せず短時間に効率よく取り外すことができる。
【００２０】
第１および第２旋回固定アームが縦方向へ並ぶ複数の支点部を有し、それら支点部から所定のそれを選択することで、支点部から作用固定部までの寸法の長短を変更可能である型枠板固定器具は、型枠板固定器具を使用する鋼材はフランジどうしの離間寸法が小さくウェブからフランジの延出寸法が小さい小型タイプとフランジどうしの離間寸法が大きくウェブからフランジの延出寸法が大きい大型タイプとがあるが、それら支点部から所定のそれを選択することで、支点部から作用固定部までの寸法を長くしたり、短くしたりすることができるから、ウェブからフランジの延出寸法が小さい小型タイプの鋼材に取り付けることができるとともに、ウェブからフランジの延出寸法が大きい大型タイプの鋼材に取り付けることができる。型枠板固定器具は、１つのそれを小型タイプの鋼材と大型タイプの鋼材との両者に使用することができ、２種類のそれを用意する必要はなく、２種類の型枠板固定器具を用意する手間とコストとを省くことができる。
【００２１】
型枠板固定器具は、第１旋回固定アームの作用固定部を鋼材の一方のフランジの外面側に位置させて型枠板を第１旋回固定アームの作用固定部と鋼材の一方のフランジの外面との間に配置するとともに、第２旋回固定アームの作用固定部を鋼材の他方のフランジの外面側に位置させて型枠板を第２旋回固定アームの作用固定部と鋼材の他方のフランジの外面との間に配置した後、螺着部材を時計回り方向と反時計回り方向とのいずれか一方に回転させて第１および第２旋回固定アームの力点部を横方向外方へ移動させることで、第１旋回固定アームの作用固定部が型枠板に密着しつつ型枠板が第１旋回固定アームの作用固定部と鋼材の一方のフランジの外面とに挟まれた状態で固定され、第２旋回固定アームの作用固定部が型枠板に密着しつつ型枠板が第２旋回固定アームの作用固定部と鋼材の他方のフランジの外面とに挟まれた状態で固定されるから、螺着部材を時計回り方向と反時計回り方向とのいずれか一方に回転させるだけで、型枠板を第１旋回固定アームの作用固定部と鋼材の一方のフランジの外面との間に固定することができるとともに、型枠板を第２旋回固定アームの作用固定部と鋼材の他方のフランジの外面との間に固定することができ、型枠板を鋼材に手間を要せず短時間に効率よく固定することができる。
【００２２】
鋼材がＨ形鋼である型枠板固定器具は、第１旋回固定アームの作用固定部をＨ形鋼の一方のフランジの外面側に位置させて型枠板を第１旋回固定アームの作用固定部とＨ形鋼の一方のフランジの外面との間に配置するとともに、第２旋回固定アームの作用固定部をＨ形鋼の他方のフランジの外面側に位置させて型枠板を第２旋回固定アームの作用固定部とＨ形鋼の他方のフランジの外面との間に配置した後、螺着部材を時計回り方向と反時計回り方向とのいずれか一方に回転させて第１および第２旋回固定アームの力点部を横方向外方へ移動させることで、第１旋回固定アームの作用固定部が型枠板に密着しつつ型枠板が第１旋回固定アームの作用固定部とＨ形鋼の一方のフランジの外面とに挟まれた状態で固定され、第２旋回固定アームの作用固定部が型枠板に密着しつつ型枠板が第２旋回固定アームの作用固定部とＨ形鋼の他方のフランジの外面とに挟まれた状態で固定されるから、螺着部材を時計回り方向と反時計回り方向とのいずれか一方に回転させるだけで、型枠板を第１旋回固定アームの作用固定部とＨ形鋼の一方のフランジの外面との間に固定することができるとともに、型枠板を第２旋回固定アームの作用固定部とＨ形鋼の他方のフランジの外面との間に固定することができ、型枠板をＨ形鋼に手間を要せず短時間に効率よく固定することができる。
【００２３】
支持部材がその中央に形成されてＨ形鋼のそれらフランジが収まる凹部を有し、Ｈ形鋼のそれらフランジが横方向へ離間対向して縦方向へ延びる凹部の内側縁に当接する型枠板固定器具は、支持部材の中央に形成された凹部にＨ形鋼のそれらフランジが収まり、凹部の内側縁にそれらフランジが当接することで、支持部材とＨ形鋼のそれらフランジとを互いに嵌合させた状態で固定することができるとともに、型枠板固定器具の第１および第２旋回固定アームや支持部材とＨ形鋼のそれらフランジとの間に大きな隙間が生じることはなく、Ｈ形鋼に型枠板を安定して固定することができる。
【図面の簡単な説明】
【００２４】
【図１】一例として示す型枠板固定器具の斜視図。
【図２】型枠板固定器具の正面図。
【図３】第１旋回固定アームの側から示す型枠板固定器具の側面図。
【図４】第２旋回固定アームの側から示す型枠板固定器具の側面図。
【図５】第１および第２旋回固定アームの力点部が横方向外方へ移動した状態の型枠板固定器具の正面図。
【図６】Ｈ形鋼に設置した状態で示す型枠板固定器具の斜視図。
【図７】Ｈ形鋼に設置した状態で示す型枠板固定器具の正面図。
【図８】他の一例として示す型枠板固定器具の正面図。
【図９】第１旋回固定アームの側から示す型枠板固定器具の側面図。
【図１０】第２旋回固定アームの側から示す型枠板固定器具の側面図。
【図１１】第１および第２旋回固定アームの力点部が横方向外方へ移動した状態の型枠板固定器具の正面図。
【図１２】Ｈ形鋼に設置した状態で示す型枠板固定器具の斜視図。
【図１３】Ｈ形鋼に設置した状態で示す型枠板固定器具の正面図。
【発明を実施するための形態】
【００２５】
一例として示す型枠板固定器具１０Ａの斜視図である図１等の添付の図面を参照し、本発明にかかる型枠板固定器具の詳細を説明すると、以下のとおりである。なお、図２は、型枠板固定器具１０Ａの正面図であり、図３は、第１旋回固定アーム１１の側から示す型枠板固定器具１０Ａの側面図である。図４は、第２旋回固定アーム１２の側から示す型枠板固定器具１０Ａの側面図であり、図５は、第１および第２旋回固定アーム１１，１２の力点部１５，２９が横方向外方へ移動した状態の型枠板固定器具１０の正面図である。図１では、縦方向（上下方向）を矢印Ａ、横方向の矢印Ｂで示し、前後方向を矢印Ｃで示す。
【００２６】
型枠板固定器具１０Ａ（型枠板固定器具１０Ｂを含む）は、その一例として、後記するＨ形鋼（鋼材）と既設の建物（コンクリート構造物）の柱や梁とを一体化する耐震補強の施工において利用され、Ｈ形鋼に対する型枠板の固定に使用される。なお、型枠板固定器具１０Ａ（型枠板固定器具１０Ｂを含む）は、Ｈ形鋼のみならず、Ｉ形鋼やＴ形鋼、山形鋼、溝形鋼、Ｚ形鋼に型枠板を固定する場合にも使用することができる。また、鋼材には、形鋼のみならず、各種の鉄骨ブレースや各種の増設フレーム等が含まれる。型枠板固定器具１０Ａは、第１旋回固定アーム１１および第２旋回固定アーム１２と、螺着ロッド１３（螺着部材）および支持プレート１４（支持部材）とから形成されている。
【００２７】
第１旋回固定アーム１１は、第２旋回固定アーム１２に対して横方向へ所定寸法離間対向し、第２旋回固定アーム１２に並行して縦方向へ延びている。第１旋回固定アーム１１は、力点部１５と、力点部１５の縦方向下方に位置して力点部１５につながる支点部１６と、支点部１６の縦方向下方に位置して支点部１６につながる作用固定部１７とを有する。力点部１５は、第１旋回固定アーム１１の上端域１８に位置し、支点部１６は、第１旋回固定アーム１１の中間域１９に位置している。作用固定部１７は、第１旋回固定アーム１１の下方域２０に位置している。
【００２８】
第１旋回固定アーム１１は、図３に示すように、断面Ｌ字状の第１アーム部材２１ａと、第１アーム部材２１ａから後方へ離間対向する断面Ｌ字状の第２アーム部材２１ｂとから形成されている。第１アーム部材２１ａと第２アーム部材２１ｂとの間には、縦方向へ延びるスペース２２が形成されている。第１アーム部材２１ａは、鋼材やアルミ、ステンレス等の金属から作られ、前後方向に張り出して縦方向へ延びる第１当接部分２３ａと、第１当接部分２３ａの側縁につながり、横方向に張り出して縦方向へ延びる第１補強部分２３ｂとを有する。第１当接部分２３ａと第１補強部分２３ｂとは、一体に成形されている。第２アーム部材２１ｂは、鋼材やアルミ、ステンレス等の金属から作られ、前後方向に張り出して縦方向へ延びる第２当接部分２４ａと、第２当接部分２４ａの側縁につながり、横方向に張り出して縦方向へ延びる第２補強部分２４ｂとを有する。第２当接部分２４ａと第２補強部分２４ｂとは、一体に成形されている。
【００２９】
スペース２２には、第１アーム部材２１ａの第１補強部分２３ｂと第２アーム部材２１ｂの第２補強部分２４ｂとを連結する複数の連結駒２５が配置されている。それら連結駒２５は、縦方向へ所定寸法離間して並び、力点部１５と支点部１６と作用固定部１７とに配置され、第１補強部分２３ｂと第２補強部分２４ｂとに溶接固定されている。力点部１５の位置におけるスペース２２であって第２旋回固定アーム１２に対向する第１旋回固定アーム１１の内側には、ナット２６（螺子部材）が溶接固定されている。支点部１６における第１補強部分２３ｂと第２補強部分２４ｂとには、縦方向へ並ぶ回転軸第１挿通孔２７と回転軸第２挿通孔２８とが穿孔されている。回転軸第２挿通孔２８は、回転軸第１挿通孔２７の縦方向下方に作られている。
【００３０】
第２旋回固定アーム１２は、第１旋回固定アーム１１に対して横方向へ所定寸法離間対向し、第１旋回固定アーム１１に並行して縦方向へ延びている。第２旋回固定アーム１２は、第１旋回固定アーム１１と同形同大であり、その長さ寸法が第１旋回固定アーム１１のそれと同一である。第２旋回固定アーム１２は、力点部２９と、力点部２９の縦方向下方に位置して力点部２９につながる支点部３０と、支点部３０の縦方向下方に位置して支点部３０につながる作用固定部３１とを有する。力点部２９は、第２旋回固定アーム１２の上端域３２に位置し、支点部３０は、第２旋回固定アーム１２の中間域３３に位置している。作用固定部３１は、第２旋回固定アーム１２の下方域３４に位置している。
【００３１】
第２旋回固定アーム１２は、図４に示すように、断面Ｌ字状の第１アーム部材３５ａと、第１アーム部材３５ａから後方へ離間対向する断面Ｌ字状の第２アーム部材３５ｂとから形成されている。第１アーム部材３５ａと第２アーム部材３５ｂとの間には、縦方向へ延びるスペース３６が形成されている。第１アーム部材３５ａは、鋼材やアルミ、ステンレス等の金属から作られ、前後方向に張り出して縦方向へ延びる第１当接部分３７ａと、第１当接部分３７ａの側縁につながり、横方向に張り出して縦方向へ延びる第１補強部分３７ｂとを有する。第１当接部分３５ａと第１補強部分３５ｂとは、一体に成形されている。第２アーム部材３５ｂは、鋼材やアルミ、ステンレス等の金属から作られ、前後方向に張り出して縦方向へ延びる第２当接部分３８ａと、第２当接部分３８ａの側縁につながり、横方向に張り出して縦方向へ延びる第２補強部分３８ｂとを有する。第２当接部分３８ａと第２補強部分３８ｂとは、一体に成形されている。
【００３２】
スペース３６には、第１アーム部材３５ａの第１補強部分３７ｂと第２アーム部材３５ｂの第２補強部分３８ｂとを連結する複数の連結駒３９が配置されている。それら連結駒３９は、縦方向へ所定寸法離間して並び、力点部２９と支点部３０と作用固定部３１とに配置され、第１補強部分３７ｂと第２補強部分３８ｂとに溶接固定されている。力点部２９の位置におけるスペース３６には、連結駒３９の間に開口する挿通孔４０が形成されている。支点部３０における第１補強部分３７ｂと第２補強部分３８ｂとには、縦方向へ並ぶ回転軸第１挿通孔４１と回転軸第２挿通孔４２とが穿孔されている。回転軸第２挿通孔４２は、回転軸第１挿通孔４１の縦方向下方に作られている。
【００３３】
螺着ロッド１３（螺着部材）は、第１旋回固定アーム１１の力点部１５と第２旋回固定アーム１２の力点部２９とに位置して横方向へ延びている。螺着ロッド１３は、横方向へ長い棒材であり、鋼材やアルミ、ステンレス等の金属から作られている。螺着ロッド１３は、第１旋回固定アーム１１の側に位置する横方向一端部４３と、第２旋回固定アーム１２の側に位置する横方向他端部４５と、それら端部４３，４５の間に位置する中間部４４とを有する。螺着ロッド１３は、その全体（横方向一端部４３、中間部４４、横方向他端部４５）に螺子が形成されている。なお、螺子は、横方向一端部４３と横方向他端部４５とに形成されていればよい。
【００３４】
螺着ロッド１３の横方向一端部４３は、第１旋回固定アーム１１の力点部１５のスペース２２に挿通されているとともに、スペース２２に連通するナット２６に螺着されている。螺着ロッド１３の横方向一端部４３のうちの第１旋回固定アーム１１の力点部１５から横方向外方へ延出する部分には、電動ドリルのドリルビット（ソケットレンチ）に嵌入するレンチ４６が形成されている。
【００３５】
螺着ロッド１３の横方向他端部４５のうちの第２旋回固定アーム１２の力点部２９から横方向内方へ延出する部分には、ストッパー４７（ナット）が溶接固定されている。螺着ロッド１３の横方向他端部４５のうちのストッパー４７から横方向外方へ延出する部分は、第２旋回固定アーム１２の力点部２９に位置する挿通孔４０に挿通されている。螺着ロッド１３の横方向他端部４５のうちの第２旋回固定アーム１２の力点部２９から横方向外方へ延出する部分には、抜け止めピン４８が取り付けられている。螺着ロッド１３の中間部４４は、第１および第２旋回固定アーム１１，１２の力点部１５，２９の間に位置して横方向へ直状に延びている。
【００３６】
支持プレート１４（支持部材）は、第１旋回固定アーム１１の支点部１６と第２旋回固定アーム１２の支点部３０との間に位置して横方向へ延びている。支持プレート１４は、横方向へ長い板材であり、鋼材やアルミ、ステンレス等の金属から作られている。支持プレート１４は、第１旋回固定アーム１１の側に位置する横方向一端部４９と、第２旋回固定アーム１２の側に位置する横方向他端部５１と、それら端部４９，５１の間に位置する中間部５０とを有する。
【００３７】
支持プレート１４の中間部５０には、縦方向上方へ凸となる凹部５２が形成されている。凹部５２は、横方向へ離間対向して縦方向へ延びる一対の内側縁５３と、それら内側縁５３の間で横方向へ延びる内端縁５４とを有する。それら内側縁５３は、内端縁５４から縦方向下方に向かうにつれて互いの離間寸法が次第に大きくなるように、末広がりに傾斜している。したがって、それら内側縁５３の横方向の離間寸法が内端縁５４において小さく、内端縁５４から縦方向下方に向かうにつれて次第に大きくなっている。支持プレート１４の横方向一端部４９には、回転軸第３挿通孔５５が穿孔され、支持プレート１４の横方向他端部５１には、回転軸第４挿通孔５６が穿孔されている。
【００３８】
第１旋回固定アーム１１の支点部１６に穿孔された回転軸第２挿通孔２８と支持プレート１４の横方向一端部４９に穿孔された回転軸第３挿通孔５５とが一致し、回転軸第２挿通孔２８と回転軸第３挿通孔５５とに第１回転軸５７（第１回転ボルト）が挿通され、第１旋回固定アーム１１の支点部１６が支持プレート１４の横方向一端部４９に第１回転軸５７を介して回転（旋回）可能に連結されている。第１旋回固定アーム１１の支点部１６は、回転軸第２挿通孔２８の位置になっている。
【００３９】
第２旋回固定アーム１２の支点部３０に穿孔された回転軸第２挿通孔４２と支持プレート１４の横方向他端部５１に穿孔された回転軸第４挿通孔５６とが一致し、回転軸第２挿通孔４２と回転軸第４挿通孔５６とに第２回転軸５８（第２回転ボルト）が挿通され、第２旋回固定アーム１２の支点部３０が支持プレート１４の横方向他端部５１に第２回転軸５８を介して回転（旋回）可能に連結されている。第２旋回固定アーム１２の支点部３０は、回転軸第２挿通孔４２の位置になっている。
【００４０】
型枠板固定器具１０Ａでは、螺着ロッド１３が時計回り方向に回転すると、第１旋回固定アーム１１の力点部１５のナット２６（螺子部材）に螺着された螺着ロッド１３の横方向一端部４３がナット２６から横方向外方へ次第に移動（延出）し、第１および第２旋回固定アーム１１，１２の力点部１５，２９が横方向外方（第１および第２旋回固定アーム１１，１２の力点部１５，２９が互いに離間する方向）へ次第に移動する。それによって第１および第２旋回固定アーム１１，１２が支点部１６，３０（第１および第２回転軸５７，５８）を中心に旋回しつつ、第１および第２旋回固定アーム１１，１２の作用固定部１７，３１が横方向内方（第１および第２旋回固定アーム１１，１２の作用固定部１７，３１が互いに接近する方向）へ次第に移動する。
【００４１】
逆に螺着ロッド１３が反時計回り方向に回転すると、第１旋回固定アーム１１の力点部１５のナット２６に螺着された螺着ロッド１４の横方向一端部４３がナット２６から横方向内方へ次第に移動（延出）し、第１および第２旋回固定アーム１１，１２の力点部１５，２９が横方向内方（第１および第２旋回固定アーム１１，１２の力点部１５，２９が互いに接近する方向）へ次第に移動する。それによって第１および第２旋回固定アーム１１，１２が支点部１６，３０（第１および第２回転軸５７，５８）を中心に旋回しつつ、第１および第２旋回固定アーム１１，１２の作用固定部１７，３１が横方向外方（第１および第２旋回固定アーム１１，１２の作用固定部１７，３１が互いに離間する方向）へ次第に移動する。
【００４２】
図６は、Ｈ形鋼５９ａに設置した状態で示す型枠板固定器具１０Ａの斜視図である。図７は、Ｈ形鋼５９ａに設置した状態で示す型枠板固定器具１０Ａの正面図である。図６では、時計回り方向を矢印Ｄ１で示し、反時計回り方向を矢印Ｄ２で示す。型枠板固定器具１０Ａを使用してＨ形鋼５９ａ（形鋼）に型枠板６０ａ，６０ｂを設置・固定する手順は、以下のとおりである。なお、Ｈ形鋼５９ａはフランジ６１ａ，６１ｂどうしの離間寸法が小さくウェブ６２からのフランジ６１ａ，６１ｂの延出寸法が小さい小型タイプである。
【００４３】
Ｈ形鋼５９ａに型枠板６０ａ，６０ｂを固定する場合、型枠板固定器具１０Ａは、図１に示すように、第１および第２旋回固定アーム１１，１２の力点部１５，２９が横方向内方へ移動して力点部１５，２９が接近し、第１および第２旋回固定アーム１１，１２の作用固定部１７，３１が横方向外方へ移動して作用固定部１７，３１が離間し、第１および第２旋回固定アーム１１，１２の力点部１５，２９の間の横方向の寸法が第１および第２旋回固定アーム１１，１２の作用固定部１７，３１の間の横方向の寸法よりも小さくなっている。
【００４４】
Ｈ形鋼５９ａに設置する前の型枠板固定器具１０Ａでは、ストッパー４７が第２旋回固定アーム１２に当接し、それらアーム１１，１２のそれ以上の旋回が停止している。ストッパー４７によってそれらアーム１１，１２の旋回が停止した時点で、第１および第２旋回固定アーム１１，１２がハの字を画き、それらアーム１１，１２の作用固定部１７，３１が支点部１６，３０や力点部１７，３１の横方向外方に位置している。
【００４５】
最初に、第１旋回固定アーム１１の作用固定部１７をＨ形鋼５９ａの一方のフランジ６１ａの外面側に位置させ、一方の型枠板６０ａを第１旋回固定アーム１１の作用固定部１７とＨ形鋼５９ａの一方のフランジ６１ａの外面との間に配置し、第２旋回固定アーム１２の作用固定部３１をＨ形鋼５９ａの他方のフランジ６１ｂの外面側に位置させ、他方の型枠板６０ｂを第２旋回固定アーム１２の作用固定部３１とＨ形鋼５９ａの他方のフランジ６１ｂの外面との間に配置する。
【００４６】
支持プレート１４の凹部５２の内側縁５３の間の寸法（内端縁５３の横方向の寸法）がＨ形鋼５９ａのフランジ６１ａ，６１ｂの外面どうしの離間寸法と略同一であり、第１および第２旋回固定アーム１１，１２の作用固定部１７，３１をＨ形鋼５９ａのフランジ６１ａ，６１ｂの外面に配置すると、Ｈ形鋼５９ａのフランジ６１ａ，６１ｂが型枠板固定器具１０Ａの支持プレート１４の凹部５２に嵌り込み、Ｈ形鋼５９ａのそれらフランジ６１ａ，６１ｂが凹部５２の内側縁５３に当接する。なお、Ｈ形鋼５９ａの精度が小さく、フランジ６１ａ，６１ｂの外面どうしの離間寸法にバラツキがある場合でも、支持プレート１４の内側縁５３が支持プレート１４の内端縁５４から縦方向下方に向かうにつれて互いの離間寸法が次第に大きくなるように、末広がりに傾斜し、それら内側縁５３の横方向の離間寸法が内端縁５４において小さく、内端縁５４から縦方向下方に向かうにつれて次第に大きくなっているから、Ｈ形鋼５９ａのそれらフランジ６１ａ，６１ｂを支持プレート１４の凹部５２に確実に嵌め込むことができる。
【００４７】
次に、螺着ロッド１３の横方向一端部４３に形成されたレンチ４６に電動ドリル（図示せず）のドリルビットを嵌め込み、図６に矢印Ｄ１で示すように、電動ドリルを利用して螺着ロッド１３を時計回り方向に回転させる。螺着ロッド１３を時計回り方向に回転させると、第１旋回固定アーム１１の力点部１５に位置するナット２６（螺子部材）に螺着された螺着ロッド１３の横方向一端部４３が横方向外方へ次第に移動し、第１および第２旋回固定アーム１１，１２の力点部１５，２９が横方向外方へ次第に移動する。
【００４８】
第１および第２旋回固定アーム１１，１２の力点部１５，２９どうしを横方向外方へ移動させることで、第１および第２旋回固定アーム１１，１２が支点部１６，３０を中心に旋回しつつ、第１および第２旋回固定アーム１１，１２の作用固定部１７，３１が横方向内方へ次第に移動し、第１旋回固定アーム１１の作用固定部１７（第１および第２当接部分２３ａ，２４ａ）が一方の型枠板６０ａの外面に密着しつつ、その型枠板６０ａの内面がＨ形鋼５９ａの一方のフランジ６１ａの外面に密着し、一方の型枠板６０ａが第１旋回固定アーム１１の作用固定部１７（第１および第２当接部分２３ａ，２４ａ）とＨ形鋼５９ａの一方のフランジ６１ａの外面とに挟まれた状態で固定される。
【００４９】
さらに、第２旋回固定アーム１２の作用固定部３１（第１および第２当接部分３７ａ，３８ａ）が他方の型枠板６０ｂの外面に密着しつつ、その型枠板６０ｂの内面がＨ形鋼５９ａの他方のフランジ６１ｂの外面に密着し、他方の型枠板６０ｂが第２旋回固定アーム１２の作用固定部３１（第１および第２当接部分３７ａ，３８ａ）とＨ形鋼５９ａの他方のフランジ６１ｂの外面とに挟まれた状態で固定される。型枠板６０ａ，６０ｂがＨ形鋼５９ａに固定された場合、図５に示すように、第１および第２旋回固定アーム１１，１２の力点部１５，２９の間の横方向の寸法が第１および第２旋回固定アーム１１，１２の作用固定部１７，３１の間の横方向の寸法よりも大きくなり、第２旋回固定アーム１２の力点部３１が螺着ロッド１３の横方向他端部４５に固定されたストッパー４７から横方向外方に離間している。
【００５０】
第１および第２旋回固定アーム１１，１２の支点部１６，３０がそれらアーム１１，１２に穿孔された回転軸第２挿通孔２８，４２の位置になり、支点部１６，３０から作用固定部１７，３１までの寸法が短くなっており、ウェブ６２からのフランジ６１ａ，６１ｂの延出寸法が小さい小型タイプのＨ形鋼５９ａに取り付ける型枠板固定器具１０Ａにすることができる。ストッパー４７によってそれらアーム１１，１２の旋回が停止した時点で、それらアーム１１，１２の作用固定部１７，３１が力点部１５，２９や支点部１６，３０の横方向外方に位置するから、型枠板固定器具１０ＡをＨ形鋼５９ａに設置するときに、第１旋回固定アーム１１の作用固定部１７をＨ形鋼５９ａの一方のフランジ６１ａの外面に容易に位置させることができ、第２旋回固定アーム１２の作用固定部３１をＨ形鋼５９ａの他方のフランジ６１ｂの外面に容易に位置させることができ、それらアーム１１，１２をＨ形鋼５９ａに手間を要せず短時間に効率よく設置することができる。
【００５１】
支持プレート１４（支持部材）の中央に形成された凹部５２にＨ形鋼５９ａのそれらフランジ６１ａ，６１ｂが収まり、凹部５２の内側縁５３にそれらフランジ６１ａ，６１ｂが当接することで、支持プレート１４とＨ形鋼５９ａのそれらフランジ６１ａ，６１ｂとを互いに嵌合させた状態で固定することができるとともに、型枠板固定器具１０Ａの第１および第２旋回固定アーム１１，１２や支持プレート１４とＨ形鋼５９ａのそれらフランジ６１ａ，６１ｂとの間に大きな隙間が生じることはなく、Ｈ形鋼５９ａに型枠板６０ａ，６０ｂを安定して固定することができる。
【００５２】
型枠板固定器具１０Ａを使用してＨ形鋼５９ａのフランジ６１ａ，６１ｂに型枠板６０ａ，６０ｂの固定した後、型枠板６０ａ，６０ｂの間の空間６３にコンクリート（図示せず）を打設する。空間６３に打設したコンクリートの養生期間が経過し、コンクリートが硬化した後、型枠板６０ａ，６０ｂをＨ形鋼５９ａから取り外す。型枠板６０ａ，６０ｂをＨ形鋼５９ａから取り外す手順の一例は、以下のとおりである。型枠板６０ａ，６０ｂがＨ形鋼５９ａに固定された図６，７の状態において、螺着ロッド１３の横方向一端部４３に形成されたレンチ４６に電動ドリルのドリルビットを嵌め込み、電動ドリルを利用して螺着ロッド１３を反時計回り方向に回転させる。螺着ロッド１３を反時計回り方向に回転させると、第１旋回固定アーム１１の力点部１５に位置するナット１９に螺着された螺着ロッド１３の横方向一端部４３が横方向内方へ次第に移動し、第１および第２旋回固定アーム１１，１２の力点部１５，２９が横方向内方へ次第に移動する。
【００５３】
第１および第２旋回固定アーム１１，１２の力点部１５，２９どうしを横方向内方へ移動させることで、第１および第２旋回固定アーム１１，１２が支点部１６，３０を中心に旋回しつつ、第１および第２旋回固定アーム１１，１２の作用固定部１７，３１が横方向外方へ次第に移動し、第１旋回固定アーム１１の作用固定部１７が一方の型枠板６０ａの外面から離間する方向へ移動し、Ｈ形鋼５９ａの一方のフランジ６１ａの外面に対する一方の型枠板６０ａの内面の密着状態が解除され、一方の型枠板６０ａのフランジ６１ａに対する固定状態が解除される。
【００５４】
さらに、第２旋回固定アーム１２の作用固定部３１が他方の型枠板６０ｂの外面から離間する方向へ移動し、Ｈ形鋼５９ａの他方のフランジ６１ｂの外面に対する他方の型枠板６０ｂの内面の密着状態が解除され、他方の型枠板６０ｂのフランジ６１ｂに対する固定状態が解除される。それら型枠板６０ａ，６０ｂのフランジ６１ａ，６１ｂに対する固定状態が解除された後、それら型枠板６０ａ，６０ｂから型枠板固定器具１０Ａを取り外すとともに、コンクリート（フランジ６１ａ，６１ｂ）からそれら型枠板６０ａ，６０ｂを取り外す。
【００５５】
型枠板固定器具１０Ａは、螺着ロッド１３（螺着部材）を時計回り方向に回転させ、第１および第２旋回固定アーム１１，１２の力点部１５，２９を横方向外方へ移動させることで、第１および第２旋回固定アーム１１，１２が支点部１６，３０を中心に旋回しつつ第１および第２旋回固定アーム１１，１２の作用固定部１７，３１が横方向内方へ移動し、第１旋回固定アーム１１の作用固定部１７が型枠板６０ａに密着しつつ型枠板６０ａが第１旋回固定アーム１１の作用固定部１７とＨ形鋼５９ａの一方のフランジ６１ａの外面とに挟まれた状態で固定され、第２旋回固定アーム１２の作用固定部３１が型枠板６０ｂに密着しつつ型枠板６０ｂが第２旋回固定アーム１２の作用固定部３１とＨ形鋼５９ａの他方のフランジ６１ｂの外面とに挟まれた状態で固定されるから、螺着ロッド１３を時計回り方向に回転させるだけで、型枠板６０ａを第１旋回固定アーム１２の作用固定部１７とＨ形鋼５９ａの一方のフランジ６１ａの外面との間に固定することができるとともに、型枠板６０ｂを第２旋回固定アーム１２の作用固定部３１とＨ形鋼５９ａの他方のフランジ６１ｂの外面との間に固定することができる。型枠板固定器具１０Ａは、型枠板６０ａ，６０ｂをＨ形鋼５９ａに手間を要せず短時間に効率よく固定することができるとともに、第１および第２旋回固定アーム１１，１２の作用固定部１７，３１によって型枠板６０ａ，６０ｂをＨ形鋼５９ａのフランジ６１ａ，６１ｂに強固に固定することができる。
【００５６】
型枠板固定器具１０Ａは、螺着ロッド１３を反時計回り方向に回転させ、第１および第２旋回固定アーム１１，１２の力点部１５，２９を横方向内方へ移動させることで、第１および第２旋回固定アーム１１，１２が支点部１６，３０を中心に旋回しつつ第１および第２旋回固定アーム１１，１２の作用固定部１７，３１が横方向外方へ移動するから、螺着ロッド１３を反時計回り方向に回転させるだけで、Ｈ形鋼５９ａのフランジ６１ａ，６１ｂに対する型枠板６０ａ，６０ｂの固定を容易に解除することができ、フランジ６１ａ，６１ｂから型枠板６０ａ，６０ｂを容易に取り外すことができる。
【００５７】
型枠板固定器具１０Ａは、第１および第２アーム部材２１ａ，２１ｂの第１および第２当接部分２３ａ，２４ａや第１および第２アーム部材３５ａ，３５ｂの第１および第２当接部分３７ａ，３８ａに応力が作用したとしても、第１旋回固定アーム１１を形成する第１および第２アーム部材２１ａ，２１ｂが第１および第２補強部分２３ｂ，２４ｂを有し、第２旋回固定アーム１２を形成する第１および第２アーム部材３５ａ，３５ｂが第１および第２補強部分３７ｂ，３８ｂを有するから、それら補強部分２３ｂ，２４ｂ，３７ｂ，３８ｂが第１および第２アーム部材２１ａ，２１ｂ，３５ａ，３５ｂの強度を向上させ、第１および第２当接部分２３ａ，２４ａ，３７ａ，３８ａの変形を防ぐことができ、第１および第２旋回固定アーム１１，１２の作用固定部１７，３１によって型枠板６０ａ，６０ｂをＨ形鋼５９ａのフランジ６１ａ，６１ｂに強固かつ確実にに固定することができる。
【００５８】
図８は、他の一例として示す型枠板固定器具１０Ｂの正面図であり、図９は、第１旋回固定アーム１１の側から示す型枠板固定器具１０Ｂの側面図である。図１０は、第２旋回固定アーム１２の側から示す型枠板固定器具１０Ｂの側面図であり、図１１は、第１および第２旋回固定アーム１１，１２の力点部１５，２９が横方向外方へ移動した状態の型枠板固定器具１０Ｂの正面図である。
【００５９】
この型枠板固定器具１０Ｂが図１のそれと異なるところは、支持プレート１４（支持部材）の横方向の長さ寸法が大きい点、回転軸第１挿通孔２７と回転軸第３挿通孔５５とに第１回転軸５７が挿通されている点、回転軸第１挿通孔４１と回転軸第４挿通孔５６とに第２回転軸５８が挿通されている点にある。型枠板固定器具１０Ｂのその他の構成は図１のそれと同一であるから、図１の型枠板固定器具１０Ａと同一の符号を付すとともに、図１の型枠板固定器具１０Ａの説明を援用することで、型枠板固定器具１０Ｂのその他の構成の詳細な説明は省略する。型枠板固定器具１０Ｂは、第１旋回固定アーム１１および第２旋回固定アーム１２と、螺着ロッド１３（螺着部材）および支持プレート１４（支持部材）とから形成されている。
【００６０】
第１旋回固定アーム１１は、図１の型枠板固定器具１０Ａのそれと同一であり、力点部１５と、力点部１５の縦方向下方に位置する支点部１６と、支点部１６の縦方向下方に位置する作用固定部１７とを有する。力点部１５の位置におけるスペース２２であって第２旋回固定アーム１２に対向する第１旋回固定アーム１１の内側には、ナット２６（螺子部材）が溶接固定されている。支点部１６における第１アーム部材２１ａの第１補強部分２３ｂと第２アーム部材２１ｂの第２補強部分２４ｂとには、縦方向へ並ぶ回転軸第１挿通孔２７と回転軸第２挿通孔２８とが穿孔されている。
【００６１】
第２旋回固定アーム１２は、図１の型枠板固定器具１０Ａのそれと同一であり、力点部２９と、力点部２９の縦方向下方に位置する支点部３０と、支点部３０の縦方向下方に位置する作用固定部３１とを有する。力点部２９の位置におけるスペース３６には、連結駒３９の間に開口する挿通孔４０が形成されている。支点部３０における第１アーム部材３５ａの第１補強部分３７ｂと第２アーム部材３５ｂ第２補強部分３８ｂとには、縦方向へ並ぶ回転軸第１挿通孔４１と回転軸第２挿通孔４２とが穿孔されている。
【００６２】
螺着ロッド１３（螺着部材）は、図１の型枠板固定器具１０Ａのそれと同一であり、第１旋回固定アーム１１の力点部１５と第２旋回固定アーム１２の力点部２９とに位置して横方向へ直状に延びている。螺着ロッド１３は、横方向一端部４３および横方向他端部４５と、それら端部４３，４５の間に位置する中間部４４とを有し、その全体に螺子が形成されている。
【００６３】
螺着ロッド１３の横方向一端部４３は、第１旋回固定アーム１１の力点部１５のスペース２２に挿通されているとともに、スペース２２に連通するナット２６に螺着されている。螺着ロッド１３の横方向他端部４５のうちの第２旋回固定アーム１２の力点部２９から横方向内方へ延出する部分には、ストッパー４７（ナット）が溶接固定されている。螺着ロッド１３の横方向他端部４５のうちのストッパー４７から横方向外方へ延出する部分は、第２旋回固定アーム１２の力点部２９に位置する挿通孔４０に挿通されている。
【００６４】
支持プレート１４（支持部材）は、横方向の長さ寸法が図１の型枠板固定器具１０Ａのそれよりも長く、第１旋回固定アーム１１の支点部１６と第２旋回固定アーム１２の支点部３０との間に位置して横方向へ延びている。支持プレート１４は、回転軸第３挿通孔５５が穿孔された横方向一端部４９および回転軸第４挿通孔５６が穿孔された横方向他端部５１と、それら端部４９，５１の間に位置する中間部５０とを有する。支持プレート１４の中間部５０には、内側縁５３および内端縁５４を有して縦方向上方へ凸となる凹部５２が形成されている。それら内側縁５３は、内端縁５４から縦方向下方に向かうにつれて互いの離間寸法が次第に大きくなるように、末広がりに傾斜している。したがって、それら内側縁５３の横方向の離間寸法が内端縁５４において小さく、内端縁５４から縦方向下方に向かうにつれて次第に大きくなっている。
【００６５】
第１旋回固定アーム１１の支点部１６に穿孔された回転軸第１挿通孔２７と支持プレート１４の横方向一端部４９に穿孔された回転軸第３挿通孔５５とが一致し、回転軸第１挿通孔２７と回転軸第３挿通孔５５とに第１回転軸５７が挿通され、第１旋回固定アーム１１の支点部１６が支持プレート１４の横方向一端部４９に第１回転軸５７を介して回転（旋回）可能に連結されている。第１旋回固定アーム１１の支点部１６は、回転軸第１挿通孔２７の位置になっている。
【００６６】
第２旋回固定アーム１２の支点部３０に穿孔された回転軸第１挿通孔４１と支持プレート１４の横方向他端部５１に穿孔された回転軸第４挿通孔５６とが一致し、回転軸第１挿通孔４１と回転軸第４挿通孔５６とに第２回転軸５８が挿通され、第２旋回固定アーム１２の支点部３０が支持プレート１４の横方向他端部５１に第２回転軸５８を介して回転（旋回）可能に連結されている。第２旋回固定アーム１２の支点部３０は、回転軸第１挿通孔４１の位置になっている。
【００６７】
図１２は、Ｈ形鋼５９ｂに設置した状態で示す型枠板固定器具１０Ｂの斜視図であり、図１３は、Ｈ形鋼５９ｂに設置した状態で示す型枠板固定器具１０Ｂの正面図である。図１２では、時計回り方向を矢印Ｄ１で示し、反時計回り方向を矢印Ｄ２で示す。型枠板固定器具１０Ｂを使用してＨ形鋼５９ｂ（形鋼）に型枠板６０ａ，６０ｂを設置・固定する手順は、以下のとおりである。なお、Ｈ形鋼５９ｂは、Ｈ形鋼５９ａと比較し、フランジ６１ａ，６１ｂどうしの離間寸法が大きくウェブ６２からのフランジ６１ａ，６１ｂの延出寸法が大きい大型タイプである。
【００６８】
第１旋回固定アーム１１の作用固定部１７をＨ形鋼５９ｂの一方のフランジ６１ａの外面側に位置させ、一方の型枠板６０ａを第１旋回固定アーム１１の作用固定部１７とＨ形鋼５９ｂの一方のフランジ６１ａの外面との間に配置し、第２旋回固定アーム１２の作用固定部３１をＨ形鋼５９ｂの他方のフランジ６１ｂの外面側に位置させ、他方の型枠板６０ｂを第２旋回固定アーム１２の作用固定部３１とＨ形鋼５９ｂの他方のフランジ６１ｂの外面との間に配置する。
【００６９】
支持プレート１４の凹部５２の内側縁５３の間の寸法がＨ形鋼５９ｂのフランジ６１ａ，６１ｂの外面どうしの離間寸法と略同一であり、第１および第２旋回固定アーム１１，１２の作用固定部１７，３１をＨ形鋼５９ｂのフランジ６１ａ，６１ｂの外面に配置すると、Ｈ形鋼５９ｂのフランジ６１ａ，６１ｂが支持プレート１４の凹部５２に嵌り込み、Ｈ形鋼５９ｂのそれらフランジ６１ａ，６１ｂが凹部５２の内側縁５３に当接する。なお、Ｈ形鋼５９ｂの精度が小さく、フランジ６１ａ，６１ｂの外面どうしの離間寸法にバラツキがある場合でも、支持プレート１４の内側縁５３が支持プレート１４の内端縁５４から縦方向下方に向かうにつれて互いの離間寸法が次第に大きくなるように、末広がりに傾斜し、それら内側縁５３の横方向の離間寸法が内端縁５４において小さく、内端縁５４から縦方向下方に向かうにつれて次第に大きくなっているから、Ｈ形鋼５９ｂのそれらフランジ６１ａ，６１ｂを支持プレート１４の凹部５２に確実に嵌め込むことができる。
【００７０】
螺着ロッド１３の横方向一端部４３に形成されたレンチ４６に電動ドリルのドリルビットを嵌め込み、図１２に矢印Ｄ１で示すように、電動ドリルを利用して螺着ロッド１３を時計回り方向に回転させる。螺着ロッド１３を時計回り方向に回転させると、第１旋回固定アーム１１の力点部１５に位置するナット２６に螺着された螺着ロッド１３の横方向一端部４３が横方向外方へ次第に移動し、第１および第２旋回固定アーム１１，１２の力点部１５，２９が横方向外方へ次第に移動する。
【００７１】
第１および第２旋回固定アーム１１，１２の力点部１５，２９どうしを横方向外方へ移動させることで、第１および第２旋回固定アーム１１，１２が支点部１６，３０を中心に旋回しつつ、第１および第２旋回固定アーム１１，１２の作用固定部１７，３１が横方向内方へ次第に移動し、第１旋回固定アーム１１の作用固定部１７（第１および第２当接部分２３ａ，２４ａ）が一方の型枠板６０ａの外面に密着しつつ、その型枠板６０ａの内面がＨ形鋼５９ｂの一方のフランジ６１ａの外面に密着し、一方の型枠板６０ａが第１旋回固定アーム１１の作用固定部１７（第１および第２当接部分２３ａ，２４ａ）とＨ形鋼５９ｂの一方のフランジ６１ａの外面とに挟まれた状態で固定される。
【００７２】
第２旋回固定アーム１２の作用固定部３１（第１および第２当接部分３７ａ，３８ａ）が他方の型枠板６０ｂの外面に密着しつつ、その型枠板６０ｂの内面がＨ形鋼５９ｂの他方のフランジ６１ｂの外面に密着し、他方の型枠板６０ｂが第２旋回固定アーム１２の作用固定部３１（第１および第２当接部分３７ａ，３８ａ）とＨ形鋼５９ｂの他方のフランジ６１ｂの外面とに挟まれた状態で固定される。型枠板６０ａ，６０ｂがＨ形鋼５９ｂに固定された場合、図１１に示すように、第１および第２旋回固定アーム１１，１２の力点部１５，２９の間の横方向の寸法が第１および第２旋回固定アーム１１，１２の作用固定部１７，３１の間の横方向の寸法よりも大きくなる。
【００７３】
第１および第２旋回固定アーム１１，１２の支点部１６，３０がそれらアーム１１，１２に穿孔された回転軸第１挿通孔２７，４１の位置になり、支点部１６，３０から作用固定部１７，３１までの寸法が型枠板固定器具１０Ａのそれよりも長くなっており、ウェブ６２からのフランジ６１ａ，６１ｂの延出寸法が大きい大型タイプのＨ形鋼５９ｂに取り付ける型枠板固定器具１０Ｂにすることができる。型枠板固定器具１０Ａと同様に、ストッパー４７によってそれらアーム１１，１２の旋回が停止した時点で、それらアーム１１，１２の作用固定部１７，３１が力点部１５，２９や支点部１６，３０の横方向外方に位置するから、第１旋回固定アーム１１の作用固定部１７をＨ形鋼５９ｂの一方のフランジ６１ａの外面に容易に位置させることができ、第２旋回固定アーム１２の作用固定部３１をＨ形鋼５９ｂの他方のフランジ６１ｂの外面に容易に位置させることができ、それらアーム１１，１２をＨ形鋼５９ｂに手間を要せず短時間に効率よく設置することができる。
【００７４】
支持プレート１４の中央に形成された凹部５２にＨ形鋼５９ｂのそれらフランジ６１ａ，６１ｂが収まり、凹部５２の内側縁５３にそれらフランジ６１ａ，６１ｂが当接することで、支持プレート１４とＨ形鋼５９ｂのそれらフランジ６１ａ，６１ｂとを互いに嵌合させた状態で固定することができるとともに、第１および第２旋回固定アーム１１，１２や支持プレート１４とＨ形鋼５９ｂのそれらフランジ６１ａ，６１ｂとの間に大きな隙間が生じることはなく、Ｈ形鋼５９ｂに型枠板６０ａ，６０ｂを安定して固定することができる。
【００７５】
型枠板６０ａ，６０ｂの間の空間６３に打設したコンクリートの養生期間が経過し、コンクリートが硬化した後、型枠板６０ａ，６０ｂをＨ形鋼５９ｂから取り外す。型枠板６０ａ，６０ｂがＨ形鋼５９ｂに固定された図１２，１３の状態において、電動ドリルを利用して螺着ロッド１３を反時計回り方向に回転させる。螺着ロッド１３を反時計回り方向に回転させると、第１旋回固定アーム１１の力点部１５に位置するナット１９に螺着された螺着ロッド１３の横方向一端部４３が横方向内方へ次第に移動し、第１および第２旋回固定アーム１１，１２の力点部１５，２９が横方向内方へ次第に移動する。
【００７６】
第１および第２旋回固定アーム１１，１２の力点部１５，２９どうしを横方向内方へ移動させることで、第１旋回固定アーム１１の作用固定部１７が一方の型枠板６０ａの外面から離間する方向へ移動し、一方の型枠板６０ａのＨ形鋼５９ｂのフランジ６１ａに対する固定状態が解除される。第２旋回固定アーム１２の作用固定部３１が他方の型枠板６０ｂの外面から離間する方向へ移動し、他方の型枠板６０ｂのＨ形鋼５９ｂのフランジ６１ｂに対する固定状態が解除される。それら型枠板６０ａ，６０ｂのフランジ６１ａ，６１ｂに対する固定状態が解除された後、それら型枠板６０ａ，６０ｂから型枠板固定器具１０Ｂを取り外すとともに、コンクリート（フランジ６１ａ，６１ｂ）からそれら型枠板６０ａ，６０ｂを取り外す。
【００７７】
型枠板固定器具１０Ｂは、型枠板固定器具１０Ａと同様に、螺着ロッド１３を時計回り方向に回転させるだけで、型枠板６０ａを第１旋回固定アーム１２の作用固定部１７とＨ形鋼５９ｂの一方のフランジ６１ａの外面との間に固定することができ、型枠板６０ｂを第２旋回固定アーム１２の作用固定部３１とＨ形鋼５９ｂの他方のフランジ６１ｂの外面との間に固定することができ、型枠板６０ａ，６０ｂをＨ形鋼５９ｂに手間を要せず短時間に効率よく固定することができるとともに、第１および第２旋回固定アーム１１，１２の作用固定部１７，３１によって型枠板６０ａ，６０ｂをＨ形鋼５９ｂのフランジ６１ａ，６１ｂに強固に固定することができる。また、螺着ロッド１３を反時計回り方向に回転させるだけで、Ｈ形鋼５９ｂのフランジ６１ａ，６１ｂに対する型枠板６０ａ，６０ｂの固定を容易に解除することができ、フランジ６１ａ，６１ｂから型枠板６０ａ，６０ｂを容易に取り外すことができる。
【００７８】
型枠板固定器具１０Ｂは、第１および第２アーム部材２１ａ，２１ｂの第１および第２当接部分２３ａ，２４ａや第１および第２アーム部材３５ａ，３５ｂの第１および第２当接部分３７ａ，３８ａに応力が作用したとしても、第１および第２アーム部材２１ａ，２１ｂが第１および第２補強部分２３ｂ，２４ｂを有し、第１および第２アーム部材３５ａ，３５ｂが第１および第２補強部分３７ｂ，３８ｂを有するから、第１および第２当接部分２３ａ，２４ａ，３７ａ，３８ａの変形を防ぐことができ、第１および第２旋回固定アーム１１，１２の作用固定部１７，３１によって型枠板６０ａ，６０ｂをＨ形鋼５９ｂのフランジ６１ａ，６１ｂに強固に固定することができる。
【００７９】
既述の型枠板固定器具１０Ａ，１０Ｂでは、螺着ロッド１３が時計回り方向に回転すると、第１旋回固定アーム１１の力点部１５のナット２６（螺子部材）に螺着された螺着ロッド１３の横方向一端部４３がナット２６から横方向外方へ次第に移動し、螺着ロッド１３が反時計回り方向に回転すると、第１旋回固定アーム１１の力点部１５のナット２６（螺子部材）に螺着された螺着ロッド１３の横方向一端部４３がナット２６から横方向内方へ次第に移動する場合を説明したが、その他の例として以下の場合がある。
【００８０】
螺着ロッド（螺着部材）では、第１旋回固定アームの側に位置する横方向一端部に正螺子（例えば右螺子）が形成され、第２旋回固定アームの側に位置する横方向他端部に逆螺子（例えば左螺子）が形成されている。力点部１５の位置におけるスペース２２であって第２旋回固定アーム１２に対向する第１旋回固定アーム１１の内側には、ナット２６（第１螺子部材）が溶接固定されている。力点部２９の位置におけるスペース３６であって第１旋回固定アーム１１に対向する第２旋回固定アーム１２の内側には、ナット２６（第２螺子部材）が溶接固定されている。螺着ロッド１３の横方向一端部４３の正螺子が第１旋回固定アーム１１の内側に固定されたナット２６（第１螺子部材）に螺着され、螺着ロッド１３の横方向他端部４５に逆螺子が第２旋回固定アーム１２の内側に固定されたナット２６（第２螺子部材）に螺着されている。
【００８１】
正螺子と逆螺子とが形成された螺着ロッド１３を有する型枠板固定器具１０Ａ，１０Ｂでは、たとえば螺着ロッド１３が時計回り方向に回転すると、第１旋回固定アーム１１の力点部１５のナット２６（第１螺子部材）に螺着された螺着ロッド１３の横方向一端部４３がナット２６から横方向外方へ次第に移動（延出）するとともに、第２旋回固定アーム１２の力点部２９のナット２６（第２螺子部材）に螺着された螺着ロッド１３の横方向他端部４５がナット２６から横方向外方へ次第に移動（延出）し、第１および第２旋回固定アーム１１，１２の力点部１５，２９が横方向外方（第１および第２旋回固定アーム１１，１２の力点部１５，２９が互いに離間する方向）へ次第に移動する。それによって第１および第２旋回固定アーム１１，１２が支点部１６，３０（第１および第２回転軸５７，５８）を中心に旋回しつつ、第１および第２旋回固定アーム１１，１２の作用固定部１７，３１が横方向内方（第１および第２旋回固定アーム１１，１２の作用固定部１７，３１が互いに接近する方向）へ次第に移動する。
【００８２】
逆に螺着ロッド１３が反時計回り方向に回転すると、第１旋回固定アーム１１の力点部１５のナット２６（第１螺子部材）に螺着された螺着ロッド１３の横方向一端部４３がナット２６から横方向内方へ次第に移動（延出）するとともに、第２旋回固定アーム１２の力点部２９のナット２６（第２螺子部材）に螺着された螺着ロッド１３の横方向他端部４５がナット２６から横方向内方へ次第に移動（延出）し、第１および第２旋回固定アーム１１，１２の力点部１５，２９が横方向内方（第１および第２旋回固定アーム１１，１２の力点部１５，２９が互いに接近する方向）へ次第に移動する。それによって第１および第２旋回固定アーム１１，１２が支点部１６，３０（第１および第２回転軸５７，５８）を中心に旋回しつつ、第１および第２旋回固定アーム１１，１２の作用固定部１７，３１が横方向外方（第１および第２旋回固定アーム１１，１２の作用固定部１７，３１が互いに離間する方向）へ次第に移動する。正螺子と逆螺子とが形成された螺着ロッド１３を有する型枠板固定器具１０Ａ，１０Ｂの効果は、図１や図８に示す型枠板固定器具１０Ａ，１０Ｂのそれと同一である。
【符号の説明】
【００８３】
１０Ａ  型枠板固定器具具
１０Ｂ  型枠板固定器具具
１１    第１旋回固定アーム
１２    第２旋回固定アーム
１３    螺着ロッド（螺着部材）
１４    支持プレート（支持部材）
１５    力点部
１６    支点部
１７    作用固定部
１８    上端域
１９    中間域
２０    下端域
２１ａ  第１アーム部材
２１ｂ  第２アーム部材
２２    スペース
２３ａ  第１当接部分
２３ｂ  第１補強部分
２４ａ  第２当接部分
２４ｂ  第２補強部分
２５    連結駒
２６    ナット（螺子部材）
２７    回転軸第１挿通孔
２８    回転軸第２挿通孔
２９    力点部
３０    支点部
３１    作用固定部
３２    上端域
３３    中間域
３４    下端域
３５ａ  第１アーム部材
３５ｂ  第２アーム部材
３６    スペース
３７ａ  第１当接部分
３７ｂ  第１補強部分
３８ａ  第２当接部分
３８ｂ  第２補強部分
３９    連結駒
４０    挿通孔
４１    回転軸第１挿通孔
４２    回転軸第２挿通孔
４３    横方向一端部
４４    中間部
４５    横方向他端部
４６    レンチ
４７    ストッパー
４８    抜け止めピン
４９    横方向一端部
５０    中間部
５１    横方向他端部
５２    凹部
５３    内側縁
５４    内端縁
５５    回転軸第３挿通孔
５６    回転軸第４挿通孔
５７    第１回転軸
５８    第２回転軸
５９ａ  Ｈ形鋼
５９ｂ  Ｈ形鋼
６０ａ  型枠板
６０ｂ  型枠板
６１ａ  フランジ
６１ｂ  フランジ
６２    ウェブ
６３    空間
【図１】
2018025084.tif 000003
【図２】
2018025084.tif 000004
【図３】
2018025084.tif 000005
【図４】
2018025084.tif 000006
【図５】
2018025084.tif 000007
【図６】
2018025084.tif 000008
【図７】
2018025084.tif 000009
【図８】
2018025084.tif 000010
【図９】
2018025084.tif 000011
【図１０】
2018025084.tif 000012
【図１１】
2018025084.tif 000013
【図１２】
2018025084.tif 000014
【図１３】
2018025084.tif 000015